(57)【要約】      （修正有）【課題】電子機器において、無通電状態で外部入力端子から内部の入力信号受信デバイスまでの接続経路を検査できる電子機器のハーネスの接続状態検査装置及びその接続状態検査方法を得る。【解決手段】本発明の電子機器のハーネスの接続状態検査装置４０は、外部入力端子３に接続され、入力信号を受信する入力信号受信デバイス６と、その入力信号受信デバイス６に接続され、前記入力信号を処理する信号処理部７と、その信号処理部７に接続され、信号処理部７で処理された処理信号を外部へ送出する送信デバイス８と、その送信デバイス８に接続された外部出力端子９とを備え、外部入力端子３と入力信号受信デバイス６とがハーネス４で接続される。検査用高周波信号Ｓａを入力できる検査用高周波信号発振器４１０と、検査用高周波信号Ｓａの電圧レベルを検出し、基準電圧レベルと比較する高周波信号レベル検出、判定装置４２０とを備える。【選択図】図１
2006300568.tif 000002
【特許請求の範囲】
【請求項１】
少なくとも一つの外部入力端子と、該外部入力端子に接続され、入力された入力信号を受信する入力信号受信デバイスと、該入力信号受信デバイスに接続され、前記入力信号を処理する信号処理部と、該信号処理部に接続され、前記信号処理部で処理された処理信号を外部へ送出する送信デバイスと、該送信デバイスに接続された少なくとも一つの外部出力端子とを備え、前記外部入力端子と前記入力信号受信デバイスとがハーネスで接続されて構成されている電子機器のハーネスの接続状態検査装置であって、
前記外部入力端子に接続でき、検査用高周波信号を入力できる検査用高周波信号発振器と、
前記検査用高周波信号の電圧レベルを検出し、基準電圧レベルと比較する高周波信号レベル検出、判定装置と
を備えて構成されていることを特徴とする電子機器のハーネスの接続状態検査装置。
【請求項２】
前記検査用高周波信号発振器は、外部入力端子に入力する高周波信号を発生させる発振器と、
該発振器からの前記高周波信号を半波整流する半波整流器と、
該半波整流器で整流された前記高周波信号の電圧レベルを測定するレベル測定器と、
該レベル測定器からの電圧レベルを基準電圧レベルと比較して、その比較結果を記録及び又は表示する比較手段
とを備えて構成されていることを特徴とする請求項１に記載の電子機器のハーネスの接続状態検査装置。
【請求項３】
前記検査用高周波信号の周波数が数ｋＨｚであること特徴とする請求項１に記載の電子機器のハーネスの接続状態検査装置。
【請求項４】
前記外部入力端子が映像信号用及び音信号用とから構成されていることを特徴とする請求項１に記載の電子機器のハーネスの接続状態検査装置。
【請求項５】
少なくとも一つの外部入力端子と、該外部入力端子に接続され、入力された入力信号を受信する入力信号受信デバイスと、該入力信号受信デバイスに接続され、前記入力信号を処理する信号処理部と、該信号処理部に接続され、前記信号処理部で処理された処理信号を外部へ送出する送信デバイスと、該送信デバイスに接続された少なくとも一つの外部出力端子とを備え、前記外部入力端子と前記入力信号受信デバイスとがハーネスで接続されて構成されている電子機器において、
前記外部入力端子から検査用高周波信号を入力し、該高周波信号の電圧レベルを検出し、基準電圧レベルと比較することにより、前記電子機器内における前記各ハーネスが正常に接続されているか否かを検査すること
を特徴とする電子機器のハーネスの接続状態検査方法。
【請求項６】
前記外部入力端子が映像信号用及び音信号用とから構成されていることを特徴とする請求項５に記載の電子機器のハーネスの接続状態検査方法。
【発明の詳細な説明】
【技術分野】
【０００１】
本発明は、少なくとも一つの外部入力端子を備え、その外部入力端子が入力信号受信デバイスにハーネスで接続されている電子機器における前記ハーネスの接続状態を検査するための電子機器のハーネスの接続状態検査装置及びその接続状態検査方法に関するものである。
【背景技術】
【０００２】
先ず、図４を用いて、従来技術の電子機器のハーネスの接続状態検査装置及びその接続状態検査方法を説明する。
【０００３】
図４において、符号１は電子機器を指す。この電子機器１は、例えば、ＤＶＤレコーダやビデオレコーダのようなＡＶ（Ａｕｄｉｏ／Ｖｉｓｕａｌ）機器であって、その筐体２の外部に臨んで取り付けられている外部入力端子３と、その内部には、外部入力端子３にハーネス４で接続されている電子回路基板５と、この電子回路基板５には、入力された入力信号を受信する入力信号受信デバイス６と、この入力信号受信デバイス６に接続され、入力された前記入力信号を処理する信号処理部７と、この信号処理部７に接続され、その信号処理部７で処理された処理信号を外部へ送出する送信デバイス８と、この送信デバイス８に接続され、筐体２の外部に臨んで取り付けられている外部出力端子９とを備えて構成されている。
【０００４】
ハーネス４はハーネス本体４ａとその両端に接続された入力側コネクタ４ｂと出力側コネクタ４ｃとから構成されている。
【０００５】
そして外部入力端子３側には、電子機器１の他の構成部品にコネクタ１０が取り付けられていて、コネクタ４ｂが接続されており、電子回路基板５にはコネクタ１１が取り付けられて、コネクタ４ｃが接続されている。
【０００６】
符号１２は信号経路を、符号１３はその信号経路１２の抵抗を、そして符号１４はその信号経路における容量を示している。
【０００７】
前記のように、電子機器１においては、外部入力端子２と入力信号受信デバイス６との間はコネクター１０、１１に接続されたハーネス４を介在して接続されている。このような電子機器１においては、そのハーネス４で外部入力端子３と入力信号受信デバイス６とが正常に接続されていなければならない。
【０００８】
そのため、電子機器１の組立完了状態での最終検査で、前記のコネクター１０、１１を含むハーネス４が正常に接続されているか否かの検査を行うことが品質を保証する上で必要である。
【０００９】
このハーネス４による外部入力端子３と入力信号受信デバイス６との接続が正常に行われているか否かを検査する方法としては、従来、図４に示したように、外部入力端子３に画像、音声信号源２０を接続し、外部出力端子９にチェック用受信器、例えば、ＴＶモニター３０を接続し、画像、音声信号源１２から画像、音声信号を入力信号として外部入力端子３に入力し、入力信号受信デバイス６で受信し、信号処理部７で処理し、その処理された画像、音声信号を送信デバイス８及び外部出力端子９を通じて出力された前記画像がＴＶモニター１３に画像が正常に映出されているか、スピーカ（不図示）から音声信号が正常に出力されているかを作業者がチェックして、その電子機器１のハーネス４やコネクター１０、１１が正常に接続されているかを判断している。
【００１０】
なお、蛇足ながら、入力信号受信デバイス６、信号処理部７及び送信デバイス８が正常に作動しているか否かは、電子機器１の数々の製造行程におけるこのハーネスの接続状態検査行程よりも前の工程で行われている付言しておく。
【発明の開示】
【発明が解決しようとする課題】
【００１１】
前記のような従来技術のハーネスの接続状態検査方法では、電子機器１に電源を投入し、作動状態とした状態で行う必要があり、また、最近のＤＶＤレコーダのように、画像用、左右音声用が一組となった外部入力端子３及び外部出力端子９、Ｓ映像端子、ＤＶ端子（不図示）などが複数組取り付けられている場合には、それぞれ対応する外部入力端子３及び外部出力端子９を選択しなければならず、そしてまた、高価な画像、音声信号源２０を必要とするという課題がある。
【００１２】
本発明は、これらの課題を解決しようとするものであって、外部入力端子を備えた電子機器１において、組立完了状態にて、画像、音声信号を実際に入力せず、かつ無通電状態で外部入力端子３から内部の入力信号受信デバイス６までの接続経路を検査できる電子機器のハーネスの接続状態検査装置及びその接続状態検査方法を得ることを目的とする。
【課題を解決するための手段】
【００１３】
それ故、本発明の電子機器のハーネスの接続状態検査装置は、少なくとも一つの外部入力端子と、その外部入力端子に接続され、入力された入力信号を受信する入力信号受信デバイスと、その入力信号受信デバイスに接続され、前記入力信号を処理する信号処理部と、その信号処理部に接続され、前記信信号処理部で処理された処理信号を外部へ送出する送信デバイスと、その送信デバイスに接続された少なくとも一つの外部出力端子とを備え、前記外部入力端子と前記入力信号受信デバイスとがハーネスで接続されて構成されている電子機器のハーネスの接続状態検査装置において、前記外部入力端子に接続でき、検査用高周波信号を入力できる検査用高周波信号発振器と、前記検査用高周波信号の減衰率を検出する高周波信号レベル検出、判定装置とを備えて構成されていることを特徴とする。
【００１４】
前記電子機器のハーネスの接続状態検査装置における前記検査用高周波信号発振器は、外部入力端子に入力する高周波信号を発生させる発振器と、その発振器からの前記高周波信号を半波整流する半波整流器と、その半波整流器で整流された前記高周波信号の電圧レベルを測定するレベル測定器と、そのレベル測定器からの電圧レベルを基準レベルと比較して、その比較結果を記録及び又は表示する比較手段とを備えて構成されている。
【００１５】
その検査用高周波信号の周波数は数ＫＨｚであることが好ましい。
【００１６】
また、前記外部入力端子は映像信号用及び音信号用とから構成されている。
【００１７】
本発明の他の発明である電子機器におけるハーネスの接続状態検査方法は、少なくとも一つの外部入力端子と、その外部入力端子に接続され、入力された入力信号を受信する入力信号受信デバイスと、その入力信号受信デバイスに接続され、前記入力信号を処理する信号処理部と、その信号処理部に接続され、前記信信号処理部で処理された処理信号を外部へ送出する送信デバイスと、その送信デバイスに接続された少なくとも一つの外部出力端子とを備え、前記外部入力端子と前記入力信号受信デバイスとがハーネスで接続されて構成されている電子機器において、前記外部入力端子から検査用高周波信号を入力し、その高周波信号の電圧レベルを検出し、基準電圧レベルと比較することにより、前記電子機器内における前記各ハーネスが正常に接続されているか否かを検査することを特徴とする。
【００１８】
従って、本発明の電子機器のハーネスの接続状態検査装置及びその接続状態検査方法によれば、電子機器の組立完了状態にて、画像、音声信号を実際に入力せず、かつ無通電状態で外部入力端子から内部の入力信号受信デバイスまでの接続経路を高周波入力信号を外部入力端子から入力し、その高周波信号レベルを検出、判定することにより、その電子機器の良否を検査することができる。
【発明の効果】
【００１９】
本発明の電子機器のハーネスの接続状態検査装置及びその接続状態検査方法によれば、電子機器の外部入力端子に画像、音声信号を入力し、機器操作を行って外部入力端子に接続されるＴＶモニターなどの外部設備に出力することなく、電子機器における外部入力端子から内部の入力信号受信デバイスまでの接続経路の接続状態を検査することができる。
【００２０】
従って、作業時間を短縮することができ、そして外部受信設備費を削減することができる。
【発明を実施するための最良の形態】
【００２１】
本発明は、外部入力端子を備えた電子機器において、その組立完了状態にて、画像、音声信号を実際に入力せず、かつ無通電状態で外部入力端子から内部の入力信号受信デバイスまでの接続経路を検査できる電子機器のハーネスの接続状態検査装置及びその接続状態検査方法である。
【実施例１】
【００２２】
以下、図を用いて、本発明の電子機器のハーネスの接続状態検査装置及びその接続状態検査方法を説明する。
【００２３】
図１はハーネスが正常に接続されている状態の本発明の一実施例の電子機器のハーネスの接続状態検査装置を示す構成ブロック図、図２は図１に示したハーネスの接続状態検査装置の構成ブロック図、そして図３はハーネスの接続が異常な状態の場合を説明するための図１に示したハーネスの接続状態検査装置を示す構成ブロック図である。
【００２４】
なお、電子機器の構成は図４に示したものと同一の構成であるので、図１及び図３においては、同一の構成部分には同一の符号を付し、電子機器１の説明を省略する。
【００２５】
先ず、図１及び図２を用いて、本発明の一実施例の電子機器のハーネスの接続状態検査装置（以下、単に「接続状態検査装置」と記す）の構成を説明する。符号４０は本発明の接続状態検査装置を指す。この接続状態検査装置４０は、図２に示したように、検査専用信号発振器４１０と信号レベル検出・判定器４２０とから構成されており、この出力端子は電子機器１の外部入力端子３に接続されている。
【００２６】
検査専用信号発振器４１０は、例えば、数ｋＨｚ程度の正弦波の高周波信号Ｓａを発振し、その高周波信号Ｓａは出力側から出力側信号経路４１１を通じ、カップリングコンデンサ４１２を介して出力端子４１３から出力される。この出力端子４１３は外部入力端子３に接続される。
【００２７】
信号レベル検出・判定器４２０は、検査専用信号発振器４１０の出力側信号経路４１１に正極が接続されているダイオード４２２と、このダイオード４２２の負極に抵抗器４２３とコンデンサ４２４との並列回路が接続された半波整流器４２１と、ダイオード４２２の負極側が接続されているＡ／Ｄコンバータ４３０と、このＡ／Ｄコンバータ４３０の出力側に接続されているマイコン（マイクロコンピュータの略）４４０とから構成されている。
【００２８】
マイコン４４０の記憶部分には、予め、基準電圧レベルが設定されている。また、このマイコン４４０の出力端子には、２個の表示灯４４１、４４２が接続されている。どちらか一方の表示灯、例えば、表示灯４４１は前記基準電圧レベルに応じて、例えば、青色に点灯する表示灯である。一方の表示灯４４２はハーネス４の接続状態を表示する表示灯であって、その接続が正常である場合は表示灯４４１と同色で発光し、異常がある場合には、例えば、赤色で発光する表示灯である。作業者はこれらの表示灯４４１、４４２の発する点灯色を比較して、ハーネス４が正常に接続されているか否かを容易に判定できるように構成されている。
【００２９】
また、マイコン４４０には同時に、検査した電子機器１の製造番号、検出電圧レベル等々の製造者が必要とする検出データが履歴として記録される。
【００３０】
次に、本発明の接続状態検査装置４０の動作を説明する。
【００３１】
先ず、図１及び図２を用いて、電子機器１内のハーネス４が正常に接続されている場合を説明する。
【００３２】
接続状態検査装置４０はその出力端子４１３を検査しようとする電子機器１の外部入力端子３に接続しておく。
【００３３】
続いて、検査専用信号発振器４１０から出力された所定の電圧レベルの高周波信号Ｓａを信号経路４１１、カップリングコンデンサ４１２出力端子４１３を介してら電子機器１の外部入力端子３に入力される。同時にこの電圧レベルをマイコン４４０の記憶部分に書き込んでおく。
【００３４】
一方、この高周波信号Ｓａは半波整流器４２１で整流され、Ａ／Ｄコンバータ４３０でデジタル信号に変換されてマイコン４４０に入力される。前記デジタル信号は電圧レベルとして、予め、記憶されている基準電圧レベルと比較し、同一の電圧レベルであれば、表示灯４４１と同一の点灯色で表示灯４４２を点灯する。同時に前記電圧レベルもマイコン４４０に書き込んでおく。
【００３５】
作業者は表示灯４４２の点灯色が表示灯４４１の点灯色と同一であることを視認することにより検査中の電子機器１のハーネス４が正常に接続されていると判定することができる。
【００３６】
一方、図３に示したように、ハーネス４の入力側コネクタ４ｂが外部入力端子３に接続されているコネクタ１０から外れていると、高周波信号Ｓａはその振幅が高くなり、高周波信号Ｓｂとなり、この高周波信号Ｓｂは半波整流器４２１で整流され、Ａ／Ｄコンバータ４３０で変換された電圧レベルはマイコン４４０で基準電圧レベルと比較され、基準電圧レベルより高いと判断されて、表示灯４４１の点灯色が、例えば、赤色に点灯し、表示灯４４１の赤色の点灯色と異なることから作業者はハーネス４の接続などが適切でないことを知り、その検査した電子機器１を製造ラインから外すことができる。
【００３７】
以上、説明したように、本発明の接続状態検査装置４０を用いると、外部入力端子３を多数備えた電子機器も、画像、音声信号源やＴＶモニターを必要とすることなく、しかも短時間で良否の判定を行うことができる。                              
【産業上の利用可能性】
【００３８】
本発明は、外部入力端子を備えた電子機器を製造する産業に幅広く利用することができる。
【図面の簡単な説明】
【００３９】
【図１】ハーネスが正常に接続されている状態の本発明の一実施例の電子機器のハーネスの接続状態検査装置を示す構成ブロック図である。
【図２】図１に示したハーネスの接続状態検査装置の構成ブロック図である。
【図３】ハーネスの接続が異常な状態の場合を説明するための図１に示したハーネスの接続状態検査装置を示す構成ブロック図である。
【図４】従来技術の電子機器のハーネスの接続状態検査装置の構成ブロック図である。
【符号の説明】
【００４０】
１…従来技術の電子機器、２…筐体、３…外部入力端子、４…ハーネス、４ａ…ハーネス本体、４ｂ…ハーネス４の入力側コネクタ、４ｃ…出力側コネクタ、５…電子回路基板、６…入力信号受信デバイス、７…信号処理部、８…送信デバイス、９…外部入力端子、１０，１１…コネクター、１２…信号経路、４０…本発明の一実施例の（電子機器のハーネスの）接続状態検査装置、４１０…検査専用信号発振器、４１３…出力端子、４２０…信号レベル検出・判定器、４２１…半波整流器、４３０…Ａ／Ｄコンバータ、４４０…マイコン、４４１…基準表示灯、４４２…表示灯
【図１】
2006300568.tif 000003
【図２】
2006300568.tif 000004
【図３】
2006300568.tif 000005
【図４】
2006300568.tif 000006